(57)【要約】　　　（修正有）【課題】プラスチックシート製包装容器の連続的な成形において、特にヒンジ部における不都合な突出やばりの発生を防止し、しかも抜型刃の変形や破損を生じることなく長寿命のプラスチックシート成形用抜型及び該包装容器の提供。【解決手段】プラスチックシート成形用抜型において、包装容器Ｐの主容器部Ｍｐと蓋部Ｃとの輪郭をそれぞれカッティングするための一対の無端リング形状からなる片刃で構成した刃片２０Ａ、２０Ｂをそれぞれ接合形成してなり、片刃のテーパ刃面をリング形状の内周面側とすると共に、これら刃片の前記主容器部Ｍｐと蓋部Ｃとの境界を形成する接合部分２３において、その刃先に対しヒンジ部Ｈを成形するための断続的な切欠２５を設けてなるプラスチックシート成形用抜型刃２０を構成し、プラスチックシート製包装容器のカッティング加工を行うための型台３０に嵌め込み固定する。【選択図】　図４
2004114463.tif 000002
【特許請求の範囲】
【請求項１】
プラスチックシートを使用して、主容器部と蓋部とをヒンジ部を介して折り曲げ自在な包装容器を一体的に成形してなるプラスチックシート成形用抜型において、
前記包装容器の主容器部と蓋部との輪郭をそれぞれカッティングするための一対の無端リング形状からなる片刃で構成した刃片をそれぞれ接合形成してなり、前記片刃のテーパ刃面をリング形状の内周面側とすると共に、これら刃片の前記主容器部と蓋部との境界を形成する接合部分において、その刃先に対しヒンジ部を成形するための断続的な切欠を設けてなるプラスチックシート成形用抜型刃を構成し、
前記プラスチックシート成形用抜型刃を、プラスチックシート製包装容器のカッティング加工を行うための型台に嵌め込み固定したことを特徴とするプラスチックシート成形用抜型。
【請求項２】
前記プラスチックシート成形用抜型刃は、一対の刃片をそれぞれ接合形成して前記主容器部と蓋部との境界を形成する接合部分において、その一方の刃片の刃先に対しヒンジ部を成形するための断続的な切欠を設けると共に、他方の刃片の刃先に対し連続する切欠を設けてなることを特徴とする請求項１記載のプラスチックシート成形用抜型。
【請求項３】
前記プラスチックシート成形用抜型刃は、一対の刃片をそれぞれ接合形成して前記主容器部と蓋部との境界を形成する接合部分において、その一方の刃片の刃先と他方の刃片の刃先とに対し、ヒンジ部を成形するための断続的な切欠を交互に設けてなることを特徴とする請求項１記載のプラスチックシート成形用抜型。
【請求項４】
前記プラスチックシート成形用抜型刃は、一対の刃片をそれぞれ接合形成して前記主容器部と蓋部との境界を形成する接合部分において、その両方の刃片の刃先に対しヒンジ部を成形するための断続的な同一の切欠を設けてなることを特徴とする請求項１記載のプラスチックシート成形用抜型。
【請求項５】
プラスチックシートを使用して、主容器部と蓋部とをヒンジ部を介して折り曲げ自在な包装容器を一体的に成形してなるプラスチックシート成形用抜型において、
前記包装容器の主容器部と蓋部との輪郭をそれぞれカッティングするための一対の無端リング形状からなる片刃で構成した刃片をそれぞれ接合形成してなり、前記片刃のテーパ刃面をリング形状の内周面側とすると共に、これら刃片の前記主容器部と蓋部との境界を形成する接合部分において、その刃先に対しヒンジ部を成形するための磨り減らし部を全面的または部分的ないし断続的に設けてなるプラスチックシート成形用抜型刃を構成し、
前記プラスチックシート成形用抜型刃を、プラスチックシート製包装容器のカッティング加工を行うための型台に嵌め込み固定したことを特徴とするプラスチックシート成形用抜型。
【請求項６】
プラスチックシートを予熱してこれを主容器部と蓋部とを有する所要形状の包装容器からなる成形型により真空プレス成形し、
成形されたプラスチックシート成形品の輪郭と、前記包装容器の主容器部と蓋部との折り曲げ自在なヒンジ部とを、請求項１ないし５のいずれかに記載のプラスチックシート成形用抜型により、それぞれ同時にカッティングおよび成形することを特徴とするプラスチックシート製包装容器の成形方法。
【請求項７】
プラスチックシートを予熱してこれを真空プレス成形により主容器部と蓋部とを有する所要形状の包装容器を成形するための真空プレス成形型と、
成形されたプラスチックシート成形品の輪郭をカッティングすると共に前記包装容器の主容器部と蓋部とを折り曲げ自在なヒンジ部として形成するための請求項１ないし５のいずれかに記載のプラスチックシート成形用抜型と、から構成することを特徴とするプラスチックシート製包装容器の成形装置。
【請求項８】
プラスチックシートを予熱してこれを真空プレス成形型により主容器部と蓋部とを有する所要形状の包装容器を真空プレス成形し、
成形されたプラスチックシート成形品の輪郭と、前記包装容器の主容器部と蓋部との折り曲げ自在なヒンジ部とを、請求項１ないし５のいずれかに記載のプラスチックシート成形用抜型によりカッティングおよび成形してなることを特徴とするプラスチックシート製包装容器。
【発明の詳細な説明】
【０００１】
【発明の属する技術分野】
本発明は、熱可塑性のプラスチックシートを使用し、このプラスチックシートを成形加工して所要形状の包装容器、特に主容器部と蓋部とを折り曲げ自在にして一体的に構成した包装容器、を製造するためのプラスチックシート成形用抜型の構造と、これを使用したプラスチックシート成形方法および成形装置、並びにこれらの成形方法および装置によって成形されるプラスチックシート製包装容器に関するものである。
【０００２】
【従来の技術】
従来より、熱可塑性のプラスチックシートを使用して、所要の成形品を製造する場合、このプラスチックシートを連続的に供給すると共に、まず予熱工程でプラスチックシートを予熱して軟化させ、次に真空成形工程において所定形状の成形型により成形加工を行い、その後適宜冷却工程において冷却した後、カッティング工程において所定形状の抜型によりカッティングして、所要の成形品を得るように構成したプラスチックシートの成形方法および成形装置が一般的に知られている。
【０００３】
今日、前述したように、プラスチックシートを使用して、主容器部と蓋部とを折り曲げ自在な一体的成形加工を施し、各種の物品の包装を可能とすると共にその運搬ないし販売の便宜に供することができる包装容器が、広く市場に流通している。そこで、この種の包装容器の主容器部と蓋部とを折り曲げ自在な一体的成形加工をするために、前記主容器部と蓋部との折り曲げ部に、ヒンジ加工が施される。そして、この場合のヒンジ加工として、従来より種々の成形方法および装置が提案され、実施されている。
【０００４】
例えば、主容器部と蓋部とをヒンジを介して一体に成形する容器の成形手段として、ヒンジ部分をその折り曲げ方向とは逆方向に断面湾曲状に突出成形するものであり、この成形を容器の真空プレス成形と同時に行うように構成したものが提案されている（特開平５−５０４９７号公報）。また、箱等の容器として、折り畳み自在な構成とするため、折り曲げ部となるヒンジを、２条の薄肉溝加工としたダブルヒンジとするものも提案されている（特開平８−２８２６４９号公報）。さらに、単にプラスチックシートからなる包装容器を成形するためのプラスチックシートの折り曲げ加工手段として、種々の構成からなる罫線刃を使用するものが提案されている（特許第２５４１２５２号公報、特開２００１−６２９４２号公報）。
【０００５】
しかるに、前述したように、プラスチックシートを使用して、主容器部と蓋部とを折り曲げ自在な一体的成形加工とした、特に小形の商品包装容器は、内包された商品と共に購入した購買者が、包装容器を単なる包装資材として直ちに廃棄することなく、商品ないしはその他の物品の収納ケースとして再利用できることが、今日における資源の有効利用として重要である。
【０００６】
しかしながら、前記従来の提案に係るヒンジ部の成形手段を使用して、前述したような形の商品包装容器を成形した場合、例えば図１４に示すように、ヒンジ部分ｈないしその縁部ｅが鋭利に突出するため、前記包装容器Ｐをバッグ等に収納して出し入れする際に、購買者の手指を負傷させる等の危険がある。
【０００７】
また、前記従来の提案に係るヒンジ部の成形手段は、通常プラスチックシートを予熱した後において、所要形状の成形型により包装容器のプレス成形を行う際に、同時にヒンジ加工を行うものであり、このための成形型の構造が複雑となる等の難点がある。さらに、従来の罫線刃を使用する場合には、例えば所要形状の包装容器としてカッティングを行うための抜型として、ヒンジ部を成形する罫線刃と包装容器の輪郭をカッティングするための抜型刃とを、それぞれ個別に組み合わせて構成する必要があり、その構成が複雑となるばかりでなく抜型の製作に手間が掛る難点がある。
【０００８】
このような従来のヒンジ部の成形についての問題点を解決するため、例えば図１５ないし図１７に示すように、前述したヒンジ部を成形する罫線刃と、包装容器の輪郭をカッティングするための抜型刃とを、それぞれ組み合わせて構成したプラスチックシート製包装容器を成形するためのプラスチックシート成形用抜型刃１０が提案される。すなわち、図１５において、参照符号１０Ａ、１０Ｂは包装容器の一対の主容器部と蓋部との輪郭をそれぞれカッティングするためのそれぞれ左右対称の折曲形状からなるそれぞれ両刃で構成された刃部を示し、これらの刃部１０Ａ、１０Ｂの対称中心となる位置において、従来公知の両刃で構成された罫線刃１２が配置されている〔図１６、図１７の（ａ）参照〕。
【０００９】
また、図１６に示すように、前記罫線刃１２の両端部に対し、それぞれ両刃（両側面にテーパ刃面が形成された）からなる一対の刃片１２Ａ、１２Ｂの両端部１３ａ１、１３ｂ１および１３ａ２、１３ｂ２が、それぞれ湾曲しながら接合して終端する。この場合、前記刃片１２Ａ、１２Ｂのそれぞれ接合部分Ｊ１　、Ｊ２　の刃先１４ａ、１４ｂは、相互に接近位置する〔図１７の（ｂ）参照〕。そして、このように構成される抜型刃１０は、適宜プラスチックシートのカッティング加工を行うための型台（図示せず）に嵌め込み固定してプラスチックシート成形用抜型として構成することができる。
【００１０】
そこで、前記抜型刃１０を使用して構成したプラスチックシート成形用抜型を使用して、プラスチックシート製包装容器をカッティング加工する場合、当初においては罫線刃１６によるヒンジ部分の成形を安定かつ円滑なカッティング加工を行うことができる。しかしながら、前述したように、抜型刃１０は、刃片１２Ａ、１２Ｂと罫線刃１２とが独立した構成配置となっているため、カッティング加工を繰り返すことにより、これらの端部のそれぞれ対向する間隙部に、プラスチックシートのカッティング応力が集中して、それぞれ刃先の変形や劣化ないし破損等を促進する。この結果、成形される包装容器のヒンジ部には、不都合な突出や、ばりを発生させ易くなる難点がある。
【００１１】
また、同様に、刃片１２Ａ、１２Ｂの接合部分Ｊ１　、Ｊ２　においても、プラスチックシートのカッティング応力と共に、プラスチックシートの切り屑が刃先１４ａ、１４ｂの間隙部に入り込んで、刃先１４ａ、１４ｂが相互に離反する〔図１４の（ｂ）参照〕ばかりでなく、さらには刃先１４ａ、１４ｂの折損ないし破損を生じる。この結果、成形される包装容器のヒンジ部には、不都合な突出や、ばりを多数発生させるばかりでなく、抜型刃１０としての機能も損なわれ、適正な包装容器をカッティングするための抜型刃１０としての耐久性ないし寿命が短くなる等の難点がある。
【００１２】
【発明が解決しようとする課題】
そこで、本発明者等は、前述したプラスチックシート製包装容器を成形するための従来におけるプラスチックシート成形用抜型刃の問題点を全て解消すべく、鋭意検討並びに試作を行った結果、プラスチックシートを使用して、主容器部と蓋部とをヒンジ部を介して折り曲げ自在な包装容器を一体的に成形するためのプラスチックシート成形用抜型であって、前記包装容器の主容器部と蓋部との輪郭をそれぞれカッティングするための一対の無端リング形状からなる片刃で構成した刃片をそれぞれ接合形成してなり、前記片刃のテーパ刃面をリング形状の内周面側とすると共に、これら刃片の前記主容器部と蓋部との境界を形成する接合部分において、その刃先に対しヒンジ部を成形するための断続的な切欠、あるいは磨り減らし部を設けてなるプラスチックシート成形用抜型刃を形成し、このプラスチックシート成形用抜型刃を、プラスチックシート製包装容器のカッティング加工を行うための型台に嵌め込み固定してプラスチックシート成形用抜型を構成することにより、比較的簡単な構成にしてしかも強度的に安定した抜型を容易に製作することができると共に、プラスチックシート製包装容器の連続的な成形において、常に円滑なカッティング加工を達成することができ、特にヒンジ部における不都合な突出や、ばりの発生を防止し、しかも抜型刃の変形や破損を生じることなく長寿命のプラスチックシート成形用抜型を得ることができることを突き止めた。
【００１３】
また、本発明においては、プラスチックシートを予熱してこれを主容器部と蓋部とを有する所要形状の包装容器からなる成形型により真空プレス成形し、成形されたプラスチックシート成形品の輪郭と、前記包装容器の主容器部と蓋部との折り曲げ自在なヒンジ部とを、前述した構成からなるプラスチックシート成形用抜型により、それぞれ同時にカッティングおよび成形することにより、前述したようにヒンジ部における不都合な突出や、ばりの発生を防止したプラスチックシート製包装容器の連続的な成形を円滑に達成することができるプラスチックシート製包装容器の成形方法を得ることができることを突き止めた。
【００１４】
さらに、本発明においては、プラスチックシートを予熱してこれを真空プレス成形により主容器部と蓋部とを有する所要形状の包装容器を成形するための真空プレス成形型と、成形されたプラスチックシート成形品の輪郭をカッティングすると共に前記包装容器の主容器部と蓋部とを折り曲げ自在なヒンジ部として形成するための前述した構成からなるプラスチックシート成形用抜型とを使用することにより、前述したようにヒンジ部における不都合な突出や、ばりの発生を防止したプラスチックシート製包装容器の連続的な成形を円滑に達成することができると共に、特に比較的簡単な構成にしてしかも強度的に安定した抜型を構成し、しかも抜型刃の変形や破損を生じることなく長寿命のプラスチックシート製包装容器の成形装置を得ることができることを突き止めた。
【００１５】
そして、本発明においては、プラスチックシートを予熱してこれを真空プレス成形型により主容器部と蓋部とを有する所要形状の包装容器を真空プレス成形し、成形されたプラスチックシート成形品の輪郭と、前記包装容器の主容器部と蓋部との折り曲げ自在なヒンジ部とを、前述した構成からなるプラスチックシート成形用抜型によりカッティングおよび成形することにより、前述したようにヒンジ部における不都合な突出や、ばりの発生のない、取扱いが簡便かつ安全にして再利用可能なプラスチックシート製包装容器を得ることができることを突き止めた。
【００１６】
従って、本発明の目的は、比較的簡単な構成にしてしかも強度的に安定した構成とすることができると共に、プラスチックシート製包装容器の連続的な成形において、常に円滑なカッティング加工を達成することができ、特にヒンジ部における不都合な突出や、ばりの発生を防止し、しかも抜型刃の変形や破損を生じることなく長寿命のプラスチックシート成形用抜型と、これを使用するプラスチックシート製包装容器の成形方法および装置並びにこの成形方法および装置によって成形された取扱いが簡便かつ安全にして再利用可能なプラスチックシート製包装容器を提供することにある。
【００１７】
【課題を解決するための手段】
前記の目的を達成するため、本発明に係るプラスチックシート成形用抜型は、プラスチックシートを使用して、主容器部と蓋部とをヒンジ部を介して折り曲げ自在な包装容器を一体的に成形してなるプラスチックシート成形用抜型において、
前記包装容器の主容器部と蓋部との輪郭をそれぞれカッティングするための一対の無端リング形状からなる片刃で構成した刃片をそれぞれ接合形成してなり、前記片刃のテーパ刃面をリング形状の内周面側とすると共に、これら刃片の前記主容器部と蓋部との境界を形成する接合部分において、その刃先に対しヒンジ部を成形するための断続的な切欠を設けてなるプラスチックシート成形用抜型刃を構成し、
前記プラスチックシート成形用抜型刃を、プラスチックシート製包装容器のカッティング加工を行うための型台に嵌め込み固定したことを特徴とするプラスチックシート成形用抜型。
【００１８】
この場合、前記プラスチックシート成形用抜型刃は、一対の刃片をそれぞれ接合形成して前記主容器部と蓋部との境界を形成する接合部分において、その一方の刃片の刃先に対しヒンジ部を成形するための断続的な切欠を設けると共に、他方の刃片の刃先に対し連続する切欠を設けた構成とすることができる。
【００１９】
なお、変形例として、前記プラスチックシート成形用抜型刃は、一対の刃片をそれぞれ接合形成して前記主容器部と蓋部との境界を形成する接合部分において、その一方の刃片の刃先と他方の刃片の刃先とに対し、ヒンジ部を成形するための断続的な切欠を交互に設けた構成とすることができる。
【００２０】
また、別の変形例として、前記プラスチックシート成形用抜型刃は、一対の刃片をそれぞれ接合形成して前記主容器部と蓋部との境界を形成する接合部分において、その両方の刃片の刃先に対しヒンジ部を成形するための断続的な同一の切欠を設けた構成とすることもできる。
【００２１】
さらに、代案として、前記プラスチックシート成形用抜型刃は、一対の刃片をそれぞれ接合形成して前記主容器部と蓋部との境界を形成する接合部分において、その刃先に対しヒンジ部を成形するための磨り減らし部を全面的または部分的ないし断続的に設けた構成とすることができる。
【００２２】
また、本発明に係るプラスチックシート製包装容器の成形方法は、プラスチックシートを予熱してこれを主容器部と蓋部とを有する所要形状の包装容器からなる成形型により真空プレス成形し、
成形されたプラスチックシート成形品の輪郭と、前記包装容器の主容器部と蓋部との折り曲げ自在なヒンジ部とを、前述した構成からなるプラスチックシート成形用抜型により、それぞれ同時にカッティングおよび成形することを特徴とする。
【００２３】
さらに、本発明に係るプラスチックシート製包装容器の成形装置は、プラスチックシートを予熱してこれを真空プレス成形により主容器部と蓋部とを有する所要形状の包装容器を成形するための真空プレス成形型と、
成形されたプラスチックシート成形品の輪郭をカッティングすると共に前記包装容器の主容器部と蓋部とを折り曲げ自在なヒンジ部として形成するための前述した構成からなるプラスチックシート成形用抜型と、から構成することを特徴とする。
【００２４】
そして、本発明に係るプラスチックシート製包装容器は、プラスチックシートを予熱してこれを真空プレス成形型により主容器部と蓋部とを有する所要形状の包装容器を真空プレス成形し、
成形されたプラスチックシート成形品の輪郭と、前記包装容器の主容器部と蓋部との折り曲げ自在なヒンジ部とを、前述した構成からなるプラスチックシート成形用抜型によりカッティングおよび成形してなることを特徴とする。
【００２５】
【発明の実施の形態】
次に、本発明に係るプラスチックシート成形用抜型、これを使用するプラスチックシート製包装容器の成形方法および装置並びにプラスチックシート製包装容器の実施例につき、添付図面を参照しながら以下詳細に説明する。
【００２６】
【実施例１】
図１ないし図３は、本発明に係るプラスチックシート成形用抜型を構成する成形用抜型刃の一実施例を示すものである。すなわち、図１において、本実施例におけるプラスチックシート成形用抜型刃２０は、包装容器Ｐの主容器部Ｍｐと蓋部Ｃとの輪郭をそれぞれカッティングするための一対の無端リング形状からなる片刃（テーパ刃面が片面のみに形成されている）で構成された刃片２２Ａ、２２Ｂを、それぞれ接合形成してなり、前記刃片２２Ａ、２２Ｂは、それぞれテーパ刃面を無端リング形状の内周面側とすると共に、これら刃片２２Ａ、２２Ｂの前記主容器部と蓋部との境界を形成する接合部分２３において、その刃先２４ａ、２４ｂに対しヒンジ部Ｈを成形するための断続的な切欠２５を設けた構成からなる。
【００２７】
この場合、本実施例においては、図２および図３に示すように、前記一対の刃片２２Ａ、２２Ｂを、それぞれ接合形成して前記主容器部Ｍｐと蓋部Ｃとの境界を形成する接合部分２３において、その一方の刃片２２Ａの刃先２４ａに対しヒンジ部Ｈを成形するための断続的な切欠２５ａを設けると共に、他方の刃片２２Ｂの刃先２４ｂに対し連続する切欠２５ｂを設けた構成とする。
【００２８】
しかるに、前記構成からなる本実施例のプラスチックシート成形用抜型刃２０は、図４に示すように、プラスチックシート製包装容器のカッティング加工を行うための上下一対の型台３０、３２の一方の木製金型３０に嵌め込み固定して、カッティング型台３０として構成される。従って、前記カッティング型台３０に対する他方の型台３２は、木製金型３２の表面に合成樹脂板等の刃受材を張設して刃受面を形成した刃受型台３２として構成される。そして、これら上下一対のカッティング型台３０と刃受型台３２とによって、プラスチックシート成形用抜型が構成される。
【００２９】
そこで、本発明に係る前記構成からなるプラスチックシート成形用抜型を使用してプラスチックシート製包装容器Ｐを成形するには、プラスチックシートを予熱してこれを主容器部Ｍｐと蓋部Ｃとを有する所要形状の包装容器Ｐを成形するための真空プレス成形型（図示せず）を使用して、真空プレス成形する。次いで、成形されたプラスチックシート成形品の輪郭と、包装容器としての主容器部Ｍｐと蓋部Ｃとの折り曲げ自在なヒンジ部Ｈとを、前述した構成からなるプラスチックシート成形用抜型により、それぞれ同時にカッティングおよび成形することにより、図４に示すように、プラスチックシート製包装容器Ｐを成形することができる。
【００３０】
しかるに、前記プラスチックシートのカッティングに際して、本実施例のプラスチックシート成形用抜型刃２０を使用することにより、プラスチックシートのヒンジ部Ｈには、断続的な切欠２５によって、１本の直線からなるミシン目状の切抜きを円滑に形成することができる。そして、このようにして成形されたプラスチックシート製包装容器Ｐは、図５の（ａ）および（ｂ）に示すように、ヒンジ部Ｈにおいて、折り曲げても不都合な突出や、ばりの発生しない取扱いの安全な包装容器Ｐを連続的に量産することができる。
【００３１】
特に、図１ないし図３に示す構成からなるプラスチックシート成形用抜型刃２０を使用することにより、前記ヒンジ部Ｈを成形する刃片２２Ａ、２２Ｂは、無端リング形状にして２重に接合されているために、その強度が増大することによって、接合の開始点において、従来のようにプラスチックシートの切り屑が刃先２４ａ、２４ｂの間隙部に入り込んで刃先２４ａ、２４ｂを相互に離反させたり、これにより刃先２４ａ、２４ｂを折損ないし破損させることなく、従ってヒンジ部における不都合な突出や、ばりの発生も防止して、耐久性のある長寿命のプラスチックシート成形用抜型を得ることができる。
【００３２】
【実施例２】
図６ないし図８は、本発明に係るプラスチックシート成形用抜型を構成する成形用抜型刃の別の実施例を示すものである。すなわち、図６において、本実施例におけるプラスチックシート成形用抜型刃１２０は、包装容器Ｐの主容器部Ｍｐと蓋部Ｃとの輪郭をそれぞれカッティングするための一対の無端リング形状からなる片刃（テーパ刃面が片面のみに形成されている）で構成された刃片１２２Ａ、１２２Ｂを、それぞれ接合形成してなり、前記刃片１２２Ａ、１２２Ｂは、それぞれテーパ刃面を無端リング形状の内周面側とすると共に、これら刃片１２２Ａ、１２２Ｂの前記主容器部と蓋部との境界を形成する接合部分１２３において、その刃先１２４ａ、１２４ｂに対しヒンジ部Ｈを成形するための断続的な切欠１２５を設けた構成からなる。
【００３３】
この場合、本実施例においては、図７および図８に示すように、前記一対の刃片１２２Ａ、１２２Ｂを、それぞれ接合形成して前記主容器部Ｍｐと蓋部Ｃとの境界を形成する接合部分１２３において、その一方の刃片１２２Ａの刃先１２４ａと他方の刃片１２２Ｂの刃先１２４ｂとに対し、ヒンジ部Ｈを成形するための断続的な切欠１２５ａ、１２５ｂを交互に設けた構成とする。
【００３４】
このように構成した本実施例のプラスチックシート成形用抜型刃１２０によれば、前述した実施例のプラスチックシート成形用抜型刃２０と同様に、１本の直線からなるミシン目状の切抜きを円滑に形成することができる。そして、前記ヒンジ部Ｈを成形する刃片１２２Ａ、１２２Ｂは、無端リング形状にして２重に接合されているために、その強度が増大することによって、接合の開始点において、従来のようにプラスチックシートの切り屑が刃先１２４ａ、１２４ｂの間隙部に入り込んで刃先１２４ａ、１２４ｂを相互に離反させたり、またこれにより刃先１２４ａ、１２４ｂを折損ないし破損させることなく、従ってヒンジ部における不都合な突出や、ばりの発生も防止して、耐久性のある長寿命のプラスチックシート成形用抜型を得ることができる。
【００３５】
【実施例３】
図９ないし図１１は、本発明に係るプラスチックシート成形用抜型を構成するプラスチックシート成形用抜型刃のさらに別の実施例を示すものである。すなわち、図９において、本実施例におけるプラスチックシート成形用抜型刃２２０は、包装容器Ｐの主容器部Ｍｐと蓋部Ｃとの輪郭をそれぞれカッティングするための一対の無端リング形状からなる片刃（テーパ刃面が片面のみに形成されている）で構成された刃片２２２Ａ、２２２Ｂを、それぞれ接合形成してなり、前記刃片２２２Ａ、２２２Ｂは、それぞれテーパ刃面を無端リング形状の内周面側とすると共に、これら刃片２２２Ａ、２２２Ｂの前記主容器部と蓋部との境界を形成する接合部分２２３において、その刃先２２４ａ、２２４ｂに対しヒンジ部Ｈを成形するための断続的な切欠２２５を設けた構成からなる。
【００３６】
この場合、本実施例においては、図１０および図１１に示すように、前記一対の刃片２２２Ａ、２２２Ｂを、それぞれ接合形成して前記主容器部Ｍｐと蓋部Ｃとの境界を形成する接合部分２２３において、その両方の刃片２２２Ａ、２２２Ｂの刃先２２４ａ、２２４ｂに対しヒンジ部Ｈを成形するための断続的な同一の切欠２２５ａ、２２５ｂを設けた構成とする。
【００３７】
このように構成した本実施例のプラスチックシート成形用抜型刃２２０によっても、前述した実施例のプラスチックシート成形用抜型刃２０と同様に、１本の直線からなるミシン目状の切抜きを円滑に形成することができる。そして、前記ヒンジ部Ｈを成形する刃片２２２Ａ、２２２Ｂは、無端リング形状にして２重に接合されているために、その強度が増大することによって、接合の開始点において、従来のようにプラスチックシートの切り屑が刃先２２４ａ、２２４ｂの間隙部に入り込んで刃先２２４ａ、２２４ｂを相互に離反させたり、またこれにより刃先２２４ａ、２２４ｂを折損ないし破損させることなく、従ってヒンジ部における不都合な突出や、ばりの発生も防止して、耐久性のある長寿命のプラスチックシート成形用抜型を得ることができる。
【００３８】
【実施例４】
図１２は、本発明に係るプラスチックシート成形用抜型を構成するプラスチックシート成形用抜型刃の他の実施例を示すものである。すなわち、図１２において、本実施例におけるプラスチックシート成形用抜型刃３２０は、包装容器Ｐの主容器部Ｍｐと蓋部Ｃとの輪郭をそれぞれカッティングするための一対の無端リング形状からなる片刃（テーパ刃面が片面のみに形成されている）で構成された刃片３２２Ａ、３２２Ｂを、それぞれ接合形成してなり、前記刃片３２２Ａ、３２２Ｂは、それぞれテーパ刃面を無端リング形状の内周面側とすると共に、これら刃片３２２Ａ、３２２Ｂの前記主容器部と蓋部との境界を形成する接合部分３２３において、その刃先３２４ａ、３２４ｂに対しヒンジ部Ｈを成形するための磨り減らし部３２５を全面的に設けた構成からなる。
【００３９】
また、図１３は、図１２に示す実施例のプラスチックシート成形用抜型刃３２０の変形例を示すものであって、前記実施例と同様に構成した刃片４２２Ａ、４２２Ｂの主容器部と蓋部との境界を形成する接合部分４２３において、その刃先４２４ａ、４２４ｂに対しヒンジ部Ｈを成形するための磨り減らし部４２５を部分的ないし断続的に設けた構成からなる、プラスチックシート成形用抜型刃４２０である。
【００４０】
このように構成した本実施例のプラスチックシート成形用抜型刃３２０、４２０によれば、プラスチックシートのカッティングに際して、プラスチックシートのヒンジ部Ｈには、磨り減らし部３２５および４２５によって、それぞれ１本の直線状のヒンジ溝および１本の直線からなるミシン目状のヒンジ溝を円滑に形成することができる。従って、このように構成した本実施例のプラスチックシート成形用抜型刃３２０、４２０においては、前述した実施例のプラスチックシート成形用抜型刃２０と同様に、強度が増大されることによって、接合の開始点において、従来のようなプラスチックシートの切り屑による弊害が防止されると共に、刃先を折損ないし破損させることもなく、従ってヒンジ部における不都合な突出や、ばりの発生も防止して、耐久性のある長寿命のプラスチックシート成形用抜型を得ることができる。
【００４１】
以上、本発明の好適な実施例について説明したが、本発明は前記実施例に限定されることなく、本発明の精神を逸脱しない範囲内において、多くの設計変更が可能である。
【００４２】
【発明の効果】
前述した実施例から明らかな通り、本発明に係る請求項１ないし５に記載のプラスチックシート製包装容器を成形するためのプラスチックシート成形用抜型によれば、比較的簡単な構成にしてしかも強度的に安定した抜型を容易に製作することができると共に、プラスチックシート製包装容器の連続的な成形において、常に円滑なカッティング加工を達成することができ、特にヒンジ部における不都合な突出や、ばりの発生を防止し、しかも抜型刃の変形や破損を生じることなく長寿命のプラスチックシート成形用抜型を得ることができる。
【００４３】
また、本発明の請求項６に記載のプラスチックシート製包装容器の成形方法によれば、前述したように、ヒンジ部における不都合な突出や、ばりの発生を防止したプラスチックシート製包装容器の連続的な成形を円滑に達成することができる。
【００４４】
さらに、本発明の請求項７に記載のプラスチックシート製包装容器の成形装置によれば、前述したように、ヒンジ部における不都合な突出や、ばりの発生を防止したプラスチックシート製包装容器の連続的な成形を円滑に達成することができると共に、特に比較的簡単な構成にしてしかも強度的に安定した抜型を構成し、しかも抜型刃の変形や破損を生じることなく長寿命のプラスチックシート製包装容器の成形装置を得ることができる。
【００４５】
そして、本発明の請求項８に記載のプラスチックシート製包装容器によれば、前述したように、ヒンジ部における不都合な突出や、ばりの発生のない、取扱いが簡便かつ安全にして再利用可能なプラスチックシート製包装容器を得ることができる。
【図面の簡単な説明】
【図１】本発明に係るプラスチックシート製包装容器を成形するためのプラスチックシート成形用抜型刃の一実施例を示す斜視図である。
【図２】図１に示すプラスチックシート成形用抜型刃の平面図である。
【図３】図１に示すプラスチックシート成形用抜型刃のヒンジ部を形成する刃部の要部断面拡大斜視図である。
【図４】本発明に係るプラスチックシート製包装容器を成形するためのプラスチックシート成形用抜型刃を嵌め込み固定したプラスチックシート成形用抜型とその成形品を示す概略斜視図である。
【図５】（ａ）は本発明に係るプラスチックシート成形用抜型により成形されたプラスチックシート製包装容器のヒンジ部の成形状態を示す要部概略斜視図、（ｂ）は本発明に係るプラスチックシート成形用抜型により成形されたプラスチックシート製包装容器のヒンジ部での折り曲げ状態を示す要部概略斜視図である。
【図６】本発明に係るプラスチックシート製包装容器を成形するためのプラスチックシート成形用抜型刃の別の実施例を示す斜視図である。
【図７】図６に示すプラスチックシート成形用抜型刃の平面図である。
【図８】図６に示すプラスチックシート成形用抜型刃のヒンジ部を形成する刃部の要部断面拡大斜視図である。
【図９】本発明に係るプラスチックシート製包装容器を成形するためのプラスチックシート成形用抜型刃のさらに別の実施例を示す斜視図である。
【図１０】図９に示すプラスチックシート成形用抜型刃の平面図である。
【図１１】図９に示すプラスチックシート成形用抜型刃のヒンジ部を形成する刃部の要部断面拡大斜視図である。
【図１２】本発明に係るプラスチックシート製包装容器を成形するためのプラスチックシート成形用抜型刃の他の実施例を示すものであって、プラスチックシート成形用抜型刃のヒンジ部を形成する刃部の要部断面拡大斜視図である。
【図１３】図１２に示すプラスチックシート成形用抜型刃のヒンジ部を形成する刃部の変形例を示す要部断面拡大斜視図である。
【図１４】従来のプラスチックシート製包装容器のヒンジ部分の構成を示す概略斜視図である。
【図１５】従来のプラスチックシート製包装容器を成形するためのプラスチックシート成形用抜型刃の構成例を示す斜視図である。
【図１６】図１５に示すプラスチックシート成形用抜型刃のヒンジ部を形成する刃部の要部拡大平面図である。
【図１７】（ａ）は図１５に示すプラスチックシート成形用抜型刃のＡ−Ａ断面図、（ｂ）は図１５に示すプラスチックシート成形用抜型刃のＢ−Ｂ断面図である。
【符号の説明】
２０　プラスチックシート成形用抜型刃
２２Ａ、２２Ｂ　刃片（片刃による）
２３　接合部分
２４ａ、２４ｂ　刃片の刃先
２５　切欠
２５ａ　一方の刃片２２Ａの切欠
２５ｂ　他方の刃片２２Ｂの切欠
３０　カッティング型台
３２　刃受型台
１２０　プラスチックシート成形用抜型刃
１２２Ａ、１２２Ｂ　刃片（片刃による）
１２３　接合部分
１２４ａ、１２４ｂ　刃片の刃先
１２５　切欠
１２５ａ　一方の刃片２２Ａの切欠
１２５ｂ　他方の刃片２２Ｂの切欠
２２０　プラスチックシート成形用抜型刃
２２２Ａ、２２２Ｂ　刃片（片刃による）
２２３　接合部分
２２４ａ、２２４ｂ　刃片の刃先
２２５　切欠
２２５ａ　一方の刃片２２Ａの切欠
２２５ｂ　他方の刃片２２Ｂの切欠
３２０　プラスチックシート成形用抜型刃
３２２Ａ、３２２Ｂ　刃片（片刃による）
３２３　接合部分
３２４ａ、３２４ｂ　刃片の刃先
３２５　磨り減らし部（全面的）
４２０　プラスチックシート成形用抜型刃
４２２Ａ、４２２Ｂ　刃片（片刃による）
４２３　接合部分
４２４ａ、４２４ｂ　刃片の刃先
４２５　磨り減らし部（断続的）
Ｐ　包装容器
Ｍｐ　主容器部
Ｃ　蓋部
Ｈ　ヒンジ部
【図１】
2004114463.tif 000003
【図２】
2004114463.tif 000004
【図３】
2004114463.tif 000005
【図４】
2004114463.tif 000006
【図５】
2004114463.tif 000007
【図６】
2004114463.tif 000008
【図７】
2004114463.tif 000009
【図８】
2004114463.tif 000010
【図９】
2004114463.tif 000011
【図１０】
2004114463.tif 000012
【図１１】
2004114463.tif 000013
【図１２】
2004114463.tif 000014
【図１３】
2004114463.tif 000015
【図１４】
2004114463.tif 000016
【図１５】
2004114463.tif 000017
【図１６】
2004114463.tif 000018
【図１７】
2004114463.tif 000019